(57)【要約】【課題】アクチュエータが外れ難い構造のＦＰＣ用コネクタを提供すること。【解決手段】ＦＰＣ挿入口２１が形成されたハウジング２と、ハウジング２に並列して装着され、コンタクト片がＦＰＣ挿入口２１から挿入されたＦＰＣの面と対向するように延びている複数の端子４と、ハウジング２に対して第１の位置と第２の位置の間で姿勢変化できるように設けられ、第１の位置ではＦＰＣ挿入口２１へＦＰＣを挿入可能とし、第２の位置では挿入されたＦＰＣを端子４のコンタクト片に向けて押圧するアクチュエータ３とを備えている。ハウジング２の両側に、ハウジング２の取付面側に配置される半田付け片５２を備えた補強金具５が設けられていると共に、この補強金具５からアクチュエータ３と係合可能とした支持片５３がＦＰＣ挿入口２１側に延びており、アクチュエータ３が支持片５３に回動可能に係合している。【選択図】  図１
2004192825.tif 000002
【特許請求の範囲】
【請求項１】
ＦＰＣ挿入口（２１）が形成されたハウジング（２）と、
ハウジング（２）に並列して装着され、コンタクト片（４１２、４２２）がＦＰＣ挿入口（２１）から挿入されたＦＰＣ（６）の面と対向するように延びている複数の端子（４）と、
ハウジング（２）に対して第１の位置と第２の位置の間で姿勢変化できるように設けられ、第１の位置では前記ＦＰＣ挿入口（２１）へＦＰＣ（６）を挿入可能とし、第２の位置では挿入されたＦＰＣ（６）を前記端子（４）のコンタクト片（４１２、４２２）に向けて押圧するアクチュエータ（３）とを備え、
前記ハウジング（２）の、端子（４）が並列している方向の両側に、ハウジング（２）の取付面（２６）側に配置される半田付け片（５２）を備えた補強金具（５）が設けられていると共に、
この補強金具（５）から前記アクチュエータ（３）と係合可能とした支持片（５３）がＦＰＣ挿入口（２１）側に延びており、アクチュエータ（３）が支持片（５３）に回動可能に係合していることを特徴とするＦＰＣ用コネクタ。
【請求項２】
前記補強金具（５）の支持片（５３）は、ハウジング（２）のＦＰＣ挿入口（２１）に臨ませて設けられたＦＰＣ押さえ（３０）をバックアップするように延びるバックアップ部分（５３１）と、このバックアップ部分（５３１）に連続して延びる係合部分（５３２）とで構成されている請求項１に記載のＦＰＣ用コネクタ。
【請求項３】
前記補強金具（５）の係合部分（５３２）の先端は、下方に向かって弧状にカールさせたカール部（５３３）としてあり、これと係合するアクチュエータには軸部（４０）とこれに連続して形成された突き当て部（４０１）が設けられたことを特徴とする請求項２に記載のＦＰＣ用コネクタ。
【請求項４】
前記複数の端子（４）は、アクチュエータ（３）が回動可能に係合する係合片（４２３）を備えている端子（４２）と、アクチュエータ（３）と係合する係合片を備えていない端子（４１）を含んでいる請求項１に記載のＦＰＣ用コネクタ。
【発明の詳細な説明】
【０００１】
【発明の属する技術分野】
この発明は、一般にＦＰＣ、ＦＦＣなどと呼ばれている平型柔軟ケーブル（この明細書でもこれらを代表して単に「ＦＰＣ」という。）を接続するためのＦＰＣ用コネクタに関する。
【０００２】
【従来の技術】
従来、この種のＦＰＣ用コネクタは、ＦＰＣ挿入口が形成されたハウジングと、ハウジングに並列して装着され、コンタクト片がＦＰＣ挿入口から挿入されたＦＰＣの面と対向するように延びている複数の端子と、ハウジングに対して第１の位置と第２の位置の間で姿勢変化できるように設けられ、第１の位置では前記ＦＰＣ挿入口へＦＰＣを挿入可能とし、第２の位置では挿入されたＦＰＣを前記端子のコンタクト片に向けて押圧するアクチュエータとを備えた構成とされている。例えば、特許第３０２９９８５号公報の図１に示され、また、実用新案登録第２５８００７４号公報の図２に示されている通りである。
【０００３】
前記アクチュエータの姿勢変化は、前記特許公報にも開示されているように、ハウジングや、ハウジングに装着した端子との間で軸支構造を構成して、回動によって行うものが多い。アクチュエータを回動することによって、アクチュエータに形成した押圧部がＦＰＣを端子のコンタクト片に向けて押圧し、コンタクト片に形成したコンタクト部とＦＰＣの接点が所定の接圧で係合し、電気的な接続が形成されるようにしている。
【０００４】
【発明が解決しようとする課題】
アクチュエータがＦＰＣを押圧するとその反力が作用するので、アクチュエータが撓んで、ハウジングや端子との間で構成した軸支構造が外れたり、外れないまでもＦＰＣの接点とコンタクト片の接圧が不安定となる事態は避けなければならない。
【０００５】
この発明はこのような課題を考慮して成されたもので、アクチュエータが外れ難い構造のＦＰＣ用コネクタを提供することを目的としている。
【０００６】
【課題を解決するための手段】
前記の目的のもとに成されたこの発明のＦＰＣ用コネクタは、ＦＰＣ挿入口が形成されたハウジングと、ハウジングに並列して装着され、コンタクト片がＦＰＣ挿入口から挿入されたＦＰＣの面と対向するように延びている複数の端子と、ハウジングに対して第１の位置と第２の位置の間で姿勢変化できるように設けられ、第１の位置では前記ＦＰＣ挿入口へＦＰＣを挿入可能とし、第２の位置では挿入されたＦＰＣを前記端子のコンタクト片に向けて押圧するアクチュエータとを備え、
前記ハウジングの、端子が並列している方向の両側に、ハウジングの取付面側に配置される半田付け片を備えた補強金具が設けられていると共に、
この補強金具から前記アクチュエータと係合可能とした支持片がＦＰＣ挿入口側に延びており、アクチュエータが支持片に回動可能に係合していることを特徴とするＦＰＣ用コネクタである。
【０００７】
【作用】
このように構成されたこの発明のＦＰＣ用コネクタによれば、ハウジングに設けた補強金具から延びている支持片にアクチュエータを回動可能に係合させて、アクチュエータの軸支構造が構成されるので、アクチュエータの軸支を強固にでき、ＦＰＣを押圧した際の反力でアクチュエータが外れるのを有効に防止することができる。
【０００８】
補強金具の支持片を、請求項２のように、ハウジングのＦＰＣ挿入口に臨ませて設けられたＦＰＣ押さえをバックアップするように延びるバックアップ部分と、このバックアップ部分に連続して延びる係合部分とで構成すると、バックアップ部分がハウジング側のＦＰＣ押さえをバックアップすることができるので、ＦＰＣ押さえの機能を確実に発揮させることができるようになる。また、支持片のバックアップ部分がＦＰＣに直接接しないようにできるので、ＦＰＣの面を傷付けるような事態を避けることができるようになる。
【０００９】
また、請求項３のように補強金具の係合部分の先端は下方に向かってカールさせたカール部としてあり、これと係合するアクチュエータには軸部とこれに連続して形成された突き当て部が設けられている構成とすると、アクチュエータが第１の位置にある時に前記カール部の先端が前記突き当て部と当接することによってアクチュエータがハウジング後端方向へ倒れようとするのを防ぎ、第１の位置の状態を保つことができるようになる。
【００１０】
さらにまた、ハウジングに装着されている複数の端子が、請求項４のように、アクチュエータが回動可能に係合する係合片を備えている端子と、アクチュエータと係合する係合片を備えていない端子を含んでいる構成とすると、アクチュエータの中間部分においても端子との間で回動の軸支構造を構成することができるので、ＦＰＣ側からの反力でアクチュエータが撓むのを防止することができる。
【００１１】
【発明の実施の形態】
以下、この発明の実施形態を添付の図を参照して詳細に説明する。
【００１２】
図１、２は、実施形態のＦＰＣ用コネクタ１であって、絶縁性のプラスチックで成形されたハウジング２及びアクチュエータ３と、薄金属板を打ち抜いて成形した端子４とで基本的に構成されている。端子４は、ハウジング２に、図１において矢示Ａの方向（幅方向）で並列して装着されている。この端子４の並列している方向で、ハウジング２の両側に、金属板を打ち抜いて成形した補強金具５が装着されている。アクチュエータ３は、図１に示した第１の位置と、図２に示した第２の位置の間で姿勢変化ができるように回動可能とされている。アクチュエータ３が第１の位置では、ＦＰＣ挿入口２１へＦＰＣ６（図３、４等参照）を挿入することが可能となり、そして、アクチュエータ３が第２の位置では、挿入されたＦＰＣ６と端子４が電気的に接続されるようになっている。
【００１３】
図１、２と共に図３、４を参照して説明すると、ハウジング２は、ＦＰＣ挿入口２１に連通する接続空洞２２が内部に形成されたブロック状をしている。ハウジング２は、両側壁２３と頂壁２４及び底壁２５を有しており、底壁２５の下面（外面）が、このＦＰＣ用コネクタ１を回路基板７へ実装する場合の取付面２６となっている。底壁２５の内面には、両側壁２３間で複数の端子受入溝２７が、側壁２３と平行に所定のピッチで形成され、端子４をハウジング２の前端２８又は後端２９から装着できるようにされている。
【００１４】
ハウジング２を形成している両側壁２３の前端２８寄りの内側上部には、ＦＰＣ挿入口２１に向けてＦＰＣ押さえ３０がそれぞれの側壁２３と一体となって設けられている。各ＦＰＣ押さえ３０は、底壁２５と略平行を成して、水平なひさし状となってＦＰＣ挿入口２１へ臨んでいる。
【００１５】
更に、図３、４を参照して端子４の形状について説明する。この実施形態では、図３に示した形状の端子４１と、図４に示した形状の端子４２の２種類の端子４１、４２を含んでおり、各端子４１、４２がハウジング２の端子受入溝２７に交互に装着されている。即ち、図３に示した端子４１が奇数極の端子４を構成し、図４に示した端子４２が偶数極の端子４を構成している。図示した実施形態の場合、７極の端子４が装着されており、両外側にはそれぞれ奇数極の端子４１が装着されている。
【００１６】
図３に示されている奇数極の端子４１は、基部４１１の一側からコンタクト片４１２と、コンタクト片４１２に比べて短い係合片４１３が、コンタクト片４１２を上側にして二股状となって延びていると共に、基部４１１の他側から短いテール片４１４が延びた形状に打ち抜かれている。この端子４１は、ハウジング２の前端２８から端子受入溝２７（奇数番目）に装着するようにしたもので、コンタクト片４１２の基端部と係合片４１３の間にハウジング２の底壁２５を挟み、かつ係合片４１３を底壁２５に係合させることでハウジング２に対して固定するようにしている。このようにして端子４１をハウジング２に装着すると、前記テール片４１４の下縁がハウジング２の取付面２６である底壁２５の下面と略面一となるようにしてある。
【００１７】
比較的長いコンタクト片４１２は、端子受入溝２７に沿って延びて接続空洞２２に片持ち梁状となって臨むようにしてある。この接続空洞２２に臨むようにしたコンタクト片４１２の先端部上縁にはコンタクト部４１５が突起状に形成してあり、ＦＰＣ挿入口２１を通して接続空洞２２へ挿入されたＦＰＣ６の面（下面）と対向するようにしてある。コンタクト片４１２は、片持ち梁状であるため弾性変形が可能であり、コンタクト部４１５が形成された先端部が、図３において上下の方向へ移動できるようになっている。
【００１８】
一方、図４に示された偶数極の端子４２は、基部４２１の一側から、長さが略等しいコンタクト片４２２と係合片４２３が、係合片４２３を上側にして二股状となって延びていると共に、基部４２１の他側から短いテール片４２４が延びた形状に打ち抜かれている。この端子４２は、ハウジング２の後端２９から端子受入溝２７（偶数番目）に装着するようにしたもので、コンタクト片４２２の基端部が幅広とされて、係合片４２３の基端部との間でハウジング２の頂壁２４を挟み、かつ、コンタクト片４２２の基端部を頂壁２４に係合させることでハウジング２に対して固定するようにしている。この端子４２も、ハウジング２に装着すると、テール片４２４の下縁が取付面２６と略面一となるようにしてある。
【００１９】
この端子４２のコンタクト片４２２も、端子受入溝２７に沿って延びて接続空洞２２に片持ち梁状となって臨むようにしてある。接続空洞２２に臨むようにしたコンタクト片４２２の先端部上縁には、コンタクト部４２５が突起状に形成してあり、前記と同様に、ＦＰＣ６の面（下面）と対向するようにしてある。コンタクト片４２２も片持ち梁状であるため弾性変形が可能であり、先端部が図４において上下の方向へ移動できるようになっている。
【００２０】
図３及び図４に表れているように、端子４１のコンタクト部４１５と、端子４２のコンタクト部４２５の位置は、ハウジング２の前端２８から後端２９に向かう方向で変化させてあり、接続空洞２２において、コンタクト部４１５とコンタクト部４２５が略同一のレベルで千鳥状に配置されるようにしてある。もっとも、この実施形態ではコンタクト部４１５、４２５が千鳥状の配置となるようにしているが、直線に沿ってコンタクト部４１５、４２５が横一列に配置される形態とすることも可能である。
【００２１】
端子４２に設けた係合片４２３は、コンタクト片４２２と略等しい長さを有しているため、係合片４２３の先端部も接続空洞２２の上部で片持ち梁状となって臨むようになっている。接続空洞２２に臨んでいる係合片４２３の先端部下縁には、弧状の凹部４２６が形成されている。図４に表れているように、アクチュエータ３側に設けられる断面が略円形の軸部３１をこの凹部４２６に受け入れて、アクチュエータ３を回動可能に係合できるようにするためである。
【００２２】
アクチュエータ３は、この端子４２の係合片４２３の凹部４２６と係合するようにした軸部３１が設けられている基部３２と、中間部３３と、先端操作部３４を一体に有し、全体として、図１、２に示されているように、略Ｉ字形に成形されている。基部３２と先端操作部３４が、ハウジング２の両側壁２３の対向間隔に略等しい幅を有している。
【００２３】
アクチュエータ３に設けられた基部３２の中間部には、前記端子４２と対応する位置に軸部３１を形成するべく、貫通穴３５が形成されている。端子４２の係合片４２３の先端部をこの貫通穴３５に挿通することで、係合片４２３側の凹部４２６に軸部３１を収容して、互いに係合するようにしている。
【００２４】
アクチュエータ３の表面は平坦に形成されているのに対して、裏面側は、図３、４に表れているように、基部３２側が比較的厚くされて、平坦な押圧面３６が形成されていると共に、中間部３３から先端操作部３４に亘る部分はえぐられて比較的薄くされている。そして、前記端子４２の位置に対応するようにして係合片収容溝３７が形成されている。アクチュエータ３が第２の位置に姿勢を変化させた時に、端子４２の係合片４２３の一部（上縁部）をこの係合片収容溝３７に収容できるようにしている。
【００２５】
また、アクチュエータ３に設けられた先端操作部３４の両端面には、係合突部３８が外向きに形成されている（図１参照）。図３、４に表れているように、ハウジング２の両側壁２３の内面には、この係合突部３８と係合できるようにした係合部２３１が設けられ、第２の位置に姿勢変化したアクチュエータ３をその位置に保持できるようにしている。
【００２６】
次に、ハウジング２の両端に装着されている補強金具５について説明する。この補強金具５とアクチュエータ３も互いに係合している。補強金具５は、図５に示したように成形されている。即ち、ハウジング２の側壁２３に形成されている金具装着溝２３２に挿入係止できるようにした装着片５１の下端一側（外側）に半田付け片５２が略直角に連続していると共に、装着片５１の上端他側（内側）には、平面が略Ｌ字形の支持片５３が略直角に連続している。前記半田付け片５２は、図１、２に示すように、半田フィレット８を形成して回路基板７へ半田付けされる。尚、図５の補強金具５は、図１、２においてハウジング２の右側に装着されるものである。ハウジング２の左側に装着される補強金具５は、図５のものに対して対称に成形されている。
【００２７】
補強金具５に設けた平面が略Ｌ字形の支持片５３は、装着片５１側のバックアップ部分５３１と、このバックアップ部分５３１から略直角を成して延びる係合部分５３２を構成するものである。つまり、装着片５３をハウジング２の側壁２３に設けた金具装着溝２３２に装着すると、バックアップ部分５３１が側壁２３にひさし状に設けられたＦＰＣ押さえ３０の上面段部３０１の上側に重なって、ＦＰＣ押さえ３０を上側からバックアップし、そして、係合部分５３２が、ハウジング２の後端２９方向に延びて、アクチュエータ３と係合できるようにしている。係合部分５３２の先端は、下方に向かって弧状にカールさせたカール部５３３としてあり、アクチュエータ３との係合が考慮されている。
【００２８】
前記アクチュエータ３の基部３２の両端部分には、この補強金具５の支持片５３に形成された係合部分５３２と対応するようにして、係合部分５３２の幅に略等しい、幅広の貫通穴３９が形成されて、係合部分５３２の先端が進入できるようにされている。そして、貫通穴３９の形成によって、前記軸部３１と同様の軸部４０が形成され、軸部４０と係合部分５３２のカール部５３３とが互いに係合するようにしてある。
【００２９】
図７、８と図９、１０には、上記のように構成された補強金具５の支持片５３とハウジング２及びアクチュエータ３の関係が明瞭に示されている。図７、８には、補強金具５の支持片５３を構成しているバックアップ部分５３１が、ハウジング２側のＦＰＣ押さえ３０の上面段部３０１をバックアップしている様子が表れている。また、図９、１０には、支持片５３を構成している係合部分５３２が、アクチュエータ３に形成した貫通穴３９に進入し、そして、カール部５３３が軸部４０の上側に被さって、支持片５３の係合部分５３２と軸部４０が回動自在に係合している様子が表れている。
【００３０】
アクチュエータ３に設けられた２つの軸部３１、４０に対して、端子４２の係合片４２３に形成した凹部４２６と、補強金具５の支持片５３に形成したカール部５３３が、それぞれ上側から被さって係合している。このため、組み付けられたアクチュエータ３の軸部３１、４０は、ハウジング２の前後方向及び上方向への移動が拘束されている。更に、アクチュエータ３の基部３２の両端には支持軸３２１が設けられて、この支持軸３２１がハウジング２の側壁２３の内側に形成された受け段部（図に表れていない）に載置され、軸部３１、４０が下方向へ移動するのも拘束されている。また図９に示すように、軸部４０の先端には突き当て部４０１が軸部４０に連続して形成されており、アクチュエータ３が第１の位置にある時に補強金具５のカール部５３３の先端が前記突き当て部４０１と当接することによって、アクチュエータ３がこれ以上ハウジング後端２９方向へ倒れてしまわないように第１の位置の状態を保つことができる。
【００３１】
図７乃至図１０は、図１１乃至図１４と共に、以上のように構成されている実施形態のＦＰＣ用コネクタ１の動作を説明するために示されている。以下、ＦＰＣ用コネクタ１にＦＰＣ６を接続する様子について説明する。図７、９、１１、１３は、アクチュエータ３が図１に示された第１の位置にあり、ＦＰＣ挿入口２１を通して接続空洞２２にＦＰＣ６を挿入できる状態の時の図である。また、図８、１０、１２、１４は、アクチュエータ３が図２に示された第２の位置にあり、接続空洞２２に挿入されたＦＰＣ６をアクチュエータ３の押圧面３６が押圧して、端子４１、４２のコンタクト片４１２、４２２に向けて付勢し、端子４１、４２とＦＰＣ６を電気的に接続した状態の時の図である。
【００３２】
アクチュエータ３が第１の位置にあるときは、図７、９、１１、１３に表れているように、ＦＰＣ６をハウジング２のＦＰＣ押さえ３０に案内されながらＦＰＣ挿入口２１を通して接続空洞２２の奥まで挿入することができる。前記補強金具５の支持片５３は、ＦＰＣ押さえ３０の上側に配置されて、ＦＰＣ６の面とは直接接触しないようにされているために、挿入に際してＦＰＣ６が支持片５３と接触して傷つく恐れはない。
【００３３】
接続空洞２２にＦＰＣ６を挿入した後、回動可能に組み付けられているアクチュエータ３を回動させて図２の第２の位置に姿勢変化させると、図８、１０、１２、１４（特に、図１２、１４）に示されているように、アクチュエータ３の裏面側に形成された押圧面３６がＦＰＣ６を端子４１、４２のコンタクト片４１２、４２２に向けて付勢し、コンタクト片４１２、４２２の弾性変形を伴ってＦＰＣ６の接点（図示せず）とコンタクト片４１２、４２２のコンタクト部４１５、４２５を適度の接圧で係合させて、ＦＰＣ６と端子４１、４２の間で電気的な導通を形成することができる。
【００３４】
アクチュエータ３をこのように第２の位置に姿勢変化させた状態では、コンタクト片４１２、４２２の弾性変形による反力を受けるが、アクチュエータ３の基部３２の両端部に形成した軸部４０の上側に、補強金具５の支持片５３を構成した係合部分５３２を被せて係合させた構成であるため、支持片５３が弾性反力に対抗してアクチュエータ３を確実に支持し、組み付け状態が外れないようにできる。
【００３５】
アクチュエータ３の基部３２の中間部分は、軸部３１が偶数極の端子４２の係合片４２３と係合している。したがって、コンタクト片４１２、４２２の弾性変形の反力を受けるアクチュエータ３が撓むのも防止することができる。このため、補強金具５の支持片５３と協働してＦＰＣ６の接点とコンタクト部４１５、４２５の接圧を安定に保ち、電気的導通の信頼性を向上することができる。
【００３６】
アクチュエータ３を第２の位置にした接続状態において、ＦＰＣ６が引き回された場合、ＦＰＣ押さえ３０がこれに対抗して接続空洞２２に挿入されたＦＰＣ６が移動しないようにして接続状態を安定に保つことができる。この場合、補強金具５の支持片５３を構成したバックアップ部分５３１が、ＦＰＣ押さえ３０をバックアップしてＦＰＣ押さえ３０の強度を補強するので、ＦＰＣ６の引き回しに対抗する能力を増強することができる。また、ＦＰＣ６は支持片５３に直接接触しないようにできるために、引き回しによってＦＰＣ６に傷がつく恐れもなくすることができる。
【００３７】
【発明の効果】
以上に説明したように、この発明のＦＰＣ用コネクタでは、ハウジングの両側に補強金具を設けて、この補強金具から延びる支持片にアクチュエータを回動可能に係合させた構成としたので、アクチュエータが端子側からの反力を受けても外れる恐れのないＦＰＣ用コネクタを構成することができる。
【図面の簡単な説明】
【図１】この発明の実施形態のＦＰＣ用コネクタの斜視図で、アクチュエータが第１の位置にある時の図である。
【図２】同じくＦＰＣ用コネクタの斜視図で、アクチュエータが第２の位置にある時の図である。
【図３】同じくＦＰＣ用コネクタの、奇数極の端子に沿って示した断面図である。
【図４】同じくＦＰＣ用コネクタの、偶数極の端子に沿って示した断面図である。
【図５】ＦＰＣ用コネクタに設けた補強金具の斜視図である。
【図６】実施形態のＦＰＣ用コネクタの平面図である。
【図７】図６のＡ−Ａ線に沿って示した断面図で、アクチュエータが第１の位置にある時の図である。
【図８】同じく、図６のＡ−Ａ線に沿って示した断面図で、アクチュエータが第２の位置にある時の図である。
【図９】図６のＢ−Ｂ線に沿って示した断面図で、アクチュエータが第１の位置にある時の図である。
【図１０】同じく、図６のＢ−Ｂ線に沿って示した断面図で、アクチュエータが第２の位置にある時の図である。
【図１１】図６のＣ−Ｃ線に沿って示した断面図で、アクチュエータが第１の位置にある時の図である。
【図１２】同じく、図６のＣ−Ｃ線に沿って示した断面図で、アクチュエータが第２の位置にある時の図である。
【図１３】図６のＤ−Ｄ線に沿って示した断面図で、アクチュエータが第１の位置にある時の図である。
【図１４】同じく、図６のＤ−Ｄ線に沿って示した断面図で、アクチュエータが第２の位置にある時の図である。
【符号の説明】
１          ＦＰＣ用コネクタ
２          ハウジング
２１        ＦＰＣ挿入口
２２        接続空洞
２３        側壁
２３１      係合部
２３２      金具装着溝
２４        頂壁
２５        底壁
２６        取付面
２７        端子受入溝
２８        前端
２９        後端
３０        ＦＰＣ押さえ
３０１      上面段部
３          アクチュエータ
３１        軸部
３２        基部
３２１      支持軸
３３        中間部
３４        先端操作部
３５        貫通穴
３６        押圧面
３７        係合片収容溝
３８        係合突部
３９        貫通穴
４０        軸部
４０１      突き当て部
４          端子
４１        奇数極の端子
４１１      基部
４１２      コンタクト片
４１３      係合片
４１４      テール片
４１５      コンタクト部
４２        偶数極の端子
４２１      基部
４２２      コンタクト片
４２３      係合片
４２４      テール片
４２５      コンタクト部
４２６      凹部
５          補強金具
５１        装着片
５２        半田付け片
５３        支持片
５３１      バックアップ部分
５３２      係合部分
５３３      カール部
６          ＦＰＣ
７          回路基板
８          半田フィレット
【図１】
2004192825.tif 000003
【図２】
2004192825.tif 000004
【図３】
2004192825.tif 000005
【図４】
2004192825.tif 000006
【図５】
2004192825.tif 000007
【図６】
2004192825.tif 000008
【図７】
2004192825.tif 000009
【図８】
2004192825.tif 000010
【図９】
2004192825.tif 000011
【図１０】
2004192825.tif 000012
【図１１】
2004192825.tif 000013
【図１２】
2004192825.tif 000014
【図１３】
2004192825.tif 000015
【図１４】
2004192825.tif 000016